(57)【要約】【課題】端子部材に関わる新規な構成を有した、より不都合の少ない組電池および電池モジュールを得る。【解決手段】実施形態の組電池は、例えば、筐体と、複数の電池セルと、固定部と、端子部材と、を備えた。前記複数の電池セルは、前記筐体に収容され、互いに電気的に接続された。前記固定部は、前記筐体の外方であって互いに交差する方向を向いた三つの面と、前記三つの面のそれぞれに対して設けられ、それぞれが結合具と機械的に結合可能な三つの結合部と、を有し、前記筐体に設けられた。前記端子部材は、前記三つの結合部のいずれかと結合される前記結合具によって前記固定部に固定される導電部材と電気的に接続され、前記電池セルと電気的に接続された。【選択図】図４
2018092872.tif 000002
【特許請求の範囲】
【請求項１】
筐体と、
前記筐体に収容され、互いに電気的に接続された複数の電池セルと、
前記筐体の外方であって互いに交差する方向を向いた三つの面と、前記三つの面のそれぞれに対して設けられ、それぞれが結合具と機械的に結合可能な三つの結合部と、を有し、前記筐体に設けられた固定部と、
前記三つの結合部のいずれかと結合される前記結合具によって前記固定部に固定される導電部材と電気的に接続され、前記電池セルと電気的に接続された端子部材と、
を備えた組電池。
【請求項２】
前記端子部材は、前記三つの面のそれぞれに重ねられた三つの壁部を有し、
前記壁部が、前記導電部材と電気的に接続される、請求項１に記載の組電池。
【請求項３】
前記結合部には、前記結合具の挿入が可能な開口部が設けられ、
前記壁部には、前記開口部と通じ前記結合具の挿入が可能な貫通孔が設けられた、請求項２に記載の組電池。
【請求項４】
前記筐体は、前記複数の電池セルを収容し前記結合部が設けられた収容体と、前記固定部および前記端子部材を覆ったカバーと、を有し、
前記カバーに、前記結合具の挿入が可能であり前記壁部と前記導電部材とを電気的に接続する筒状部材が設けられた、請求項２または３に記載の組電池。
【請求項５】
前記三つの結合部のうちいずれか一つは、第一の前記結合具とにより前記端子部材と前記導電部材とを電気的に接触させ、
前記三つの結合部のうち前記一つ以外のいずれかが支持部材を間に挟んだ状態で第二の前記結合具に取り付けられた状態で、前記筐体が前記支持部材に支持された、請求項１〜４のうちいずれか一つに記載の組電池。
【請求項６】
前記筐体は、第一の方向に沿って見た場合に互い離間した四つの角部を有した筐体部材を備え、
前記四つの角部のそれぞれに前記固定部が設けられた、請求項１〜５のうちいずれか一つに記載の組電池。
【請求項７】
前記四つの角部のうち第一の対角に位置された二つの前記角部の前記固定部のそれぞれに、前記端子部材が設けられた、請求項６に記載の組電池。
【請求項８】
前記筐体は、第一の方向に互いに離間した一対の第一の壁部と、前記第一の方向と交差する第二の方向に互いに離間した一対の第二の壁部と、前記第一の方向および前記第二の方向と交差する第三の方向に互いに離間した一対の第三の壁部と、を有し、
前記固定部は、前記第一の方向を向いた第一の前記面と、前記第二の方向を向いた第二の前記面と、前記第三の方向を向いた第三の前記面と、を有した、請求項１〜７のうちいずれか一つに記載の組電池。
【請求項９】
複数の、請求項７に記載の組電池と、
前記導電部材と、
を備え、
第一の前記組電池と第二の前記組電池とは、前記第一の方向と交差する方向に並べられ、
前記第一の組電池の前記第一の対角の方向と、前記第二の組電池の前記第一の対角の方向とは、互いに異なり、
前記導電部材は、前記第一の組電池および前記第二の組電池の互いに隣り合う二つの前記角部、に設けられた二つの前記端子部材を電気的に接続した、電池モジュール。
【請求項１０】
複数の、請求項７に記載の組電池と、
前記導電部材と、
を備え、
第一の前記組電池と第二の前記組電池とは、前記第一の方向に並べられ、
前記第一の組電池の前記第一の対角の方向と、前記第二の組電池の前記第一の対角の方向とは、互いに同じであり、
前記導電部材は、第一の方向で見た場合に互いに重なる前記第一の組電池および前記第二の組電池の二つの前記角部、に設けられた二つの前記端子部材を電気的に接続した、電池モジュール。
【発明の詳細な説明】
【技術分野】
【０００１】
本発明の実施形態は、組電池および電池モジュールに関する。
【背景技術】
【０００２】
従来、例えば、複数の電池セルと、複数の電池セルと接続された端子部材と、端子部材を支持した端子台と、を備え、端子部材が、端子部材に固定される外部導電部材と電気的に接続される、組電池が知られている。
【先行技術文献】
【特許文献】
【０００３】
【特許文献１】特開２０１３−２０８４１号公報
【発明の概要】
【発明が解決しようとする課題】
【０００４】
しかしながら、従来技術では、端子部材に対する導電部材の取り付け位置が一つであるため、導電部材に接続される導電部材や組電池の配置の自由度が小さかった。そこで、例えば、端子部材に関わる新規な構成を有した、より不都合の少ない組電池および電池モジュールが得られれば好ましい。
【課題を解決するための手段】
【０００５】
実施形態の組電池は、例えば、筐体と、複数の電池セルと、固定部と、端子部材と、を備えた。前記複数の電池セルは、前記筐体に収容され、互いに電気的に接続された。前記固定部は、前記筐体の外方であって互いに交差する方向を向いた三つの面と、前記三つの面のそれぞれに対して設けられ、それぞれが結合具と機械的に結合可能な三つの結合部と、を有し、前記筐体に設けられた。前記端子部材は、前記三つの結合部のいずれかと結合される前記結合具によって前記固定部に固定される導電部材と電気的に接続され、前記電池セルと電気的に接続された。
【図面の簡単な説明】
【０００６】
【図１】図１は、第１の実施形態の組電池の模式的かつ例示的な斜視図であって、ケーブルが接続された状態を示す図である。
【図２】図２は、第１の実施形態の組電池の模式的かつ例示的な斜視図である。
【図３】図３は、第１の実施形態の組電池の模式的かつ例示的な斜視図であって、図２とは異なる方向から見た図である。
【図４】図４は、第１の実施形態の組電池の模式的かつ例示的な分解斜視図である。
【図５】図５は、第１の実施形態の組電池の模式的かつ例示的な斜視図であって、カバーが取り外された状態を示す図である。
【図６】図６は、第１の実施形態の組電池の模式的かつ例示的な平面図であって、カバーが取り外された状態を示す図である。
【図７】図７は、第１の実施形態の組電池の模式的かつ例示的な正面図であって、カバーが取り外された状態を示す図である。
【図８】図８は、第１の実施形態の組電池の模式的かつ例示的な背面図であって、カバーが取り外された状態を示す図である。
【図９】図９は、第１の実施形態の組電池の模式的かつ例示的な一方の側面図である。
【図１０】図１０は、第１の実施形態の組電池の模式的かつ例示的な他方の側面図である。
【図１１】図１１は、第１の実施形態の組電池の模式的かつ例示的な斜視図であって、カバーおよび端子部材が取り外された状態を示す図である。
【図１２】図１２は、第１の実施形態の組電池の模式的かつ例示的な斜視図であって、カバーおよび回路基板が取り外された状態を示す図である。
【図１３】図１３は、第１の実施形態の組電池の模式的かつ例示的な背面図であって、カバーおよび回路基板が取り外された状態を示す図である。
【図１４】図１４は、第１の実施形態の組電池の固定部を含む部分の模式的かつ例示的な斜視図である。
【図１５】図１５は、第１の実施形態の組電池の固定部および端子部材を含む部分の模式的かつ例示的な斜視図である。
【図１６】図１６は、第１の実施形態の組電池の正極端子部材の模式的かつ例示的な斜視図である。
【図１７】図１７は、第１の実施形態の組電池の正極端子部材の模式的かつ例示的な斜視図であって、図１６とは異なる方向から見た図である。
【図１８】図１８は、第１の実施形態の組電池の負極端子部材の模式的かつ例示的な斜視図である。
【図１９】図１９は、第１の実施形態の組電池の負極端子部材の模式的かつ例示的な斜視図であって、図１８とは異なる方向から見た図である。
【図２０】図２０は、第１の実施形態の別例のカバーが取り付けられた組電池の模式的かつ例示的な斜視図である。
【図２１】図２１は、第１の実施形態の別例のカバーが取り付けられた組電池の模式的かつ例示的な斜視図であって、図２０とは異なる方向から見た図である。
【図２２】図２２は、第１の実施形態の別例のカバーが取り付けられた組電池の模式的かつ例示的な正面図である。
【図２３】図２３は、第２の実施形態の電池モジュールの模式的かつ例示的な斜視図である。
【図２４】図２４は、第２の実施形態の電池モジュールの一部の模式的かつ例示的な斜視図である。
【図２５】図２５は、第３の実施形態の電池モジュールの模式的かつ例示的な斜視図である。
【図２６】図２６は、第３の実施形態の電池モジュールの一部の模式的かつ例示的な斜視図である。
【図２７】図２７は、第３の実施形態の下側の組電池の模式的かつ例示的な斜視図である。
【図２８】図２８は、第４の実施形態の組電池の模式的かつ例示的な斜視図であって、支持部材に取り付けられた状態を示す図である。
【図２９】図２９は、第４の実施形態の組電池の模式的かつ例示的な平面図であって、支持部材に取り付けられた状態を示す図である。
【図３０】図３０は、第４の実施形態の組電池の模式的かつ例示的な側面図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が規定されている。Ｘ方向、Ｙ方向、およびＺ方向は、互いに直交している。また、本明細書において、序数は、部品や部位等を区別するために便宜上付与されており、優先順位や順番を示すものではない。
【０００９】
＜第１の実施形態＞
図１〜４に示されるように、組電池１は、例えば、筐体１１と、複数の電池セル１２と、複数の導電部材１３と、正極端子部材１４Ａと、負極端子部材１４Ｂと、回路基板１７と、を備えている。以後、正極端子部材１４Ａおよび負極端子部材１４Ｂの総称として端子部材１４を用いる場合がある。電池セル１２、導電部材１３、端子部材１４、および回路基板１７は、筐体１１に収容されている。複数の電池セル１２は、複数の導電部材１３によって互いに電気的に接続されている。複数の電池セル１２の電力、すなわち組電池１の電力は、端子部材１４を介して、組電池１の外部の導電部材１００（接続部材）に出力可能となっている。組電池１は、電池装置とも称される。なお、導電部材１００の形状は、図１に示された形状に限られない。
【００１０】
電池セル１２は、例えば、リチウムイオン二次電池として構成されている。なお、電池セル１２は、ニッケル水素電池や、ニッケルカドミウム電池、鉛蓄電池等、他の電池であってもよい。電池セル１２は、単電池や電池とも称される。
【００１１】
図４に示されるように、電池セル１２は、一方向（例えば、Ｘ方向）に薄い偏平の直方体状に構成されている。電池セル１２は、筐体２１と、正極端子部２２Ａと、負極端子部２２Ｂと、弁部２４と、を有している。筐体２１内には、不図示の電極体および電解液が収容されている。電極体は、一例として、発電要素である正極シートおよび負極シートがセパレータを介してスパイラル状に巻かれて形成されうる。また、電極体は、一例として、正極シートおよび負極シートがセパレータを介して積層されて形成されうる。電極体の正極シートおよび負極シートに、正極端子部２２Ａおよび負極端子部２２Ｂがそれぞれ接続されている。以後、正極端子部２２Ａおよび負極端子部２２Ｂの総称として電極端子部２２を用いる場合がある。
【００１２】
筐体２１は、一例として、一方向（例えば、Ｘ方向）に薄い偏平の直方体状に構成されている。筐体２１は、金属材料（例えば、アルミニウムや、アルミニウム合金、ステンレス等）や合成樹脂材料で構成されている。筐体２１は、収容体２１ａと蓋体２１ｂとが組み合わせられて構成されている。収容体２１ａは、上部が開放された略直方体の箱型に形成されており、この収容体２１ａに電極体および電解液が収容されている。蓋体２１ｂは、収容体２１ａの開放された上部を塞いでいる。筐体２１は、容器とも称される。
【００１３】
正極端子部２２Ａおよび負極端子部２２Ｂは、蓋体２１ｂに設けられて、蓋体２１ｂの外面から突出している。正極端子部２２Ａと負極端子部２２Ｂとは、Ｙ方向すなわち蓋体２１ｂの長手方向に間隔をあけて配置されている。正極端子部２２Ａと負極端子部２２Ｂとは、それぞれ導電性材料によって構成されている。
【００１４】
弁部２４は、蓋体２１ｂにおいて正極端子部２２Ａと負極端子部２２Ｂとの間に設けられている。弁部２４は、筐体２１内の圧力が閾値よりも高くなった場合に開放され、当該筐体２１内の圧力を低下させる。
【００１５】
複数の電池セル１２は、筐体１１内において、例えば、一列に並べられている。複数の電池セル１２は、蓋体２１ｂの外面が同じ方向（一例として、Ｚ方向）に向くように配置されているとともに、蓋体２１ｂの長手方向が同じ方向（一例としてＹ方向）に沿うように配置されている。複数の電池セル１２は、複数の導電部材１３によって直列や並列（一例として直列）に電気的に接続されている。導電部材１３は、例えばアルミニウム等の導電性材料によって構成されている。導電部材１３は、バスバーやセル間バスバー、接続部材、結合部材とも称される。
【００１６】
筐体１１は、一方向（Ｘ方向）に長い直方体状の外観を呈している。筐体１１は、底壁部１１ａ、端壁部１１ｂ，１１ｃ、側壁部１１ｄ，１１ｅ、天壁部１１ｆ、中間壁部１１ｇ（図１２参照）、および仕切壁部１１ｈ（図４参照）等の複数の壁部（壁）を有している。筐体１１は、ケースや容器とも称される。
【００１７】
底壁部１１ａは、四角形状（例えば長方形状）の板状に形成されている。底壁部１１ａは、ＸＹ平面に沿って延びている。底壁部１１ａの外面１１ｍ（図３参照）は、底面や下面とも称される。
【００１８】
端壁部１１ｂ，１１ｃは、四角形状（例えば長方形状）の板状に形成され、底壁部１１ａの長手方向（Ｘ方向）の端部に接続されている。また、端壁部１１ｂ，１１ｃは、底壁部１１ａと交差する方向（一例として直交する方向、ＹＺ平面）に沿って延びている。端壁部１１ｂ，１１ｃは、底壁部１１ａの長手方向（Ｘ方向）に間隔を空けて互いに略平行に設けられている。端壁部１１ｂ，１１ｃのそれぞれの外面１１ｍ（図３参照）は、短側面とも称される。
【００１９】
側壁部１１ｄ，１１ｅは、四角形状（例えば長方形状）の板状に形成され、底壁部１１ａの短手方向（Ｙ方向）の端部に接続されている。また、側壁部１１ｄ，１１ｅは、底壁部１１ａと交差する方向（一例として直交する方向、ＸＺ平面）に沿って延びている。側壁部１１ｄ，１１ｅは、底壁部１１ａの短手方向（Ｙ方向）に間隔を空けて互いに略平行に設けられている。また、側壁部１１ｄ，１１ｅは、隣接する端壁部１１ｂ，１１ｃと接続されている。側壁部１１ｄ，１１ｅの外面１１ｍ（図３参照）は、長側面とも称される。
【００２０】
天壁部１１ｆは、四角形状（例えば長方形状）の板状に形成されている。天壁部１１ｆは、端壁部１１ｂ，１１ｃおよび側壁部１１ｄ，１１ｅの、底壁部１１ａとは反対側の端部に接続されている。天壁部１１ｆは、底壁部１１ａの厚さ方向（Ｚ方向）に底壁部１１ａと間隔を空けて設けられている。天壁部１１ｆは、底壁部１１ａと略平行に延びている。天壁部１１ｆの外面１１ｍ（図３）は、天面や上面とも称される。底壁部１１ａおよび天壁部１１ｆは、筐体１１の上下方向（第一の方向）に互いに離間した一対の第一の壁部の一例である。また、端壁部１１ｂ，１１ｃは、筐体１１の上下方向（第一の方向）と交差する筐体１１の長手方向（第二の方向）に互いに離間した一対の端第二の壁部の一例である。また、側壁部１１ｄ，１１ｅは、筐体１１の上下方向（第一の方向）および筐体１１の長手方向（第二の方向）と交差する筐体１１の短手方向（第三の方向）に互いに離間した一対の第三の壁部の一例である。
【００２１】
図４，１１に示されるように、中間壁部１１ｇは、四角形状（例えば長方形状）の板状に形成されている。中間壁部１１ｇは、底壁部１１ａと天壁部１１ｆとの間に位置されている。中間壁部１１ｇは、底壁部１１ａおよび天壁部１１ｆと略平行に延びている。中間壁部１１ｇは、端壁部１１ｂ，１１ｃおよび側壁部１１ｄ，１１ｅの内面に接続されている。
【００２２】
図４に示されるように、仕切壁部１１ｈは、四角形状（例えば長方形状）の板状に形成されている。仕切壁部１１ｈは、底壁部１１ａと中間壁部１１ｇとの間に位置されて、底壁部１１ａと接続されている。仕切壁部１１ｈは、端壁部１１ｂ，１１ｃと並んで設けられている。仕切壁部１１ｈは、端壁部１１ｂ，１１ｃと略平行に設けられている。また、複数の仕切壁部１１ｈは、それらの面同士が面した状態で並んで（一例として平行に）配置されている。仕切壁部１１ｈの間隔は、略一定である。
【００２３】
図４に示されるように、筐体１１の内部には、底壁部１１ａ、端壁部１１ｂ，１１ｃ、側壁部１１ｄ，１１ｅ、および中間壁部１１ｇによって囲まれた収容室１１ｉが設けられている。収容室１１ｉは、仕切壁部１１ｈによって、複数の領域（室）に区画され、各領域に一つの電池セル１２が収容されている。
【００２４】
筐体１１は、絶縁性を有した合成樹脂材料（例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等）で構成されている。また、筐体１１の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００２５】
また、図３等に示されるように、筐体１１は、複数の部材、具体的には、下側収容部材４１、上側収容部材４２、およびカバー４３の組み合わせとして構成されている。上側収容部材４２は、下側収容部材４１の上端部（一端部）に重ねられて下側収容部材４１と着脱可能に結合されている。上側収容部材４２は、例えば、当該上側収容部材４２の下端部に設けられた係合爪が下側収容部材４１の上端部に設けられた係合孔の周面に引っ掛かることで、下側収容部材４１に着脱可能に結合される。また、カバー４３は、上側収容部材４２の上端部（一端部）に重ねられて上側収容部材４２と結合されている。これら下側収容部材４１と上側収容部材４２とに収容室１１ｉが設けられ、収容室１１ｉは、下側収容部材４１および上側収容部材４２に囲まれている。すなわち、下側収容部材４１と上側収容部材４２とは、複数の電池セル１２を収容した収容体６０を構成している。また、カバー４３は、例えば、上側収容部材４２の上端部に設けられた係合孔の周面に当該カバー４３に設けられた係合爪が引っ掛かることで、上側収容部材４２に着脱可能に結合される。なお、下側収容部材４１、上側収容部材４２、およびカバー４３の結合には、係合爪と係合孔に代えてネジ等の締結部材を用いてもよい。下側収容部材４１は、第一の筐体部材とも称され、上側収容部材４２は、第二の筐体部材とも称され、カバー４３は、第三の筐体部材とも称される。収容体６０は、筐体部材の一例である。
【００２６】
下側収容部材４１は、底壁部１１ａと、端壁部１１ｂ，１１ｃの下端部を含む端壁部１１ｂ，１１ｃの一部と、側壁部１１ｄ，１１ｅの下端部を含む側壁部１１ｄ，１１ｅの一部と、仕切壁部１１ｈと、を有している。
【００２７】
上側収容部材４２は、端壁部１１ｂ，１１ｃの上下方向の中間部を含む端壁部１１ｂ，１１ｃの一部と、側壁部１１ｄ，１１ｅの上下方向の中間部を含む側壁部１１ｄ，１１ｅの一部と、中間壁部１１ｇと、を有している。上側収容部材４２は、下側収容部材４１の内部空間（開口部）を覆っている。また、上側収容部材４２の上端部には、四つ（複数）の固定部５０Ａ〜５０Ｄが設けられている。以後、固定部５０Ａ〜，５０Ｄの総称として固定部５０を用いる場合がある。これら四つの固定部５０のうちの二つ（固定部５０Ａ，５０Ｃ）に、端子部材１４が配置されている。固定部５０は、端子台とも称される。
【００２８】
カバー４３は、天壁部１１ｆと、端壁部１１ｂ，１１ｃの上端部を含む端壁部１１ｂ，１１ｃの一部と、側壁部１１ｄ，１１ｅの上端部を含む側壁部１１ｄ，１１ｅの一部と、を含んでいる。カバー４３は、固定部５０、正極端子部材１４Ａ、および負極端子部材１４Ｂ等を覆っている。カバー４３には、開口部４３ａが設けられている。この開口部４３ａは、後述の負極端子部材１４Ｂの壁部１４ｂに対して設けられている。
【００２９】
また、中間壁部１１ｇと天壁部１１ｆとの間に設けられた収容室１１ｋ（空間、図４））に、複数の導電部材１３や、端子部材１４、回路基板１７等が収容されている。また、電池セル１２の正極端子部２２Ａおよび負極端子部２２Ｂは、中間壁部１１ｇに設けられた貫通孔（開口部）を貫通して、中間壁部１１ｇの天壁部１１ｆ側、すなわち収容室１１ｋ内に突出している。そして、導電部材１３は、例えば、電池セル１２の電極端子部２２に溶接されている。端子部材１４および回路基板１７は、ネジ等の結合具によって、上側収容部材４２に結合されている。
【００３０】
回路基板１７は、例えば、プリント回路板（ＰＣＢ）である。回路基板１７には、配線パターンが設けられるとともに、複数の電子部品が実装されている。回路基板１７は、導電部材１３および端子部材１４に電気的に接続されて、導電部材１３および端子部材１４の温度や電池セル１２の電圧等を検出可能である。また、回路基板１７には、コネクタ４８が実装されている。コネクタ４８は、例えば、通信コネクタである。コネクタ４８には、例えば、通信ケーブルのコネクタが接続される。当該通信ケーブルを介して、例えば、制御装置が、回路基板１７の検出結果を受信するとともに、電池セル１２の電圧を制御する。
【００３１】
次に、固定部５０（５０Ａ〜５０Ｄ）および端子部材１４（１４Ａ，１４Ｂ）について詳細に説明する。
【００３２】
図４〜１３に示されるように、固定部５０Ａ〜５０Ｄは、収容体６０の上端部の四つの角部６０ａＡ〜６０ａＤのそれぞれに設けられている。すなわち、固定部５０Ａ〜５０Ｄは、上下方向に沿って見た場合（上方から見た場合）に互い離間した収容体６０の四つの角部６０ａＡ〜６０ａＤのそれぞれに設けられている。角部６０ａＡ〜６０ａＤは、上側収容部材４２の角部６０ａＡ〜６０ａＤでもある。角部６０ａＡ，６０ａＢと角部６０ａＣ，６０ａＤは、Ｘ方向に間隔を空けて設けられている。また、角部６０ａＡと角部６０ａＢとは、互いにＹ方向に間隔を空けて設けられ、角部６０ａＣと角部６０ａＤとは、互いにＹ方向に間隔を空けて設けられている。また、角部６０ａＡと角部６０ａＣとは、対角の位置に設けられ、角部６０ａＢと角部６０ａＤとは、対角の位置に設けられている。以後、角部６０ａＡ〜６０ａＤの総称として、角部６０ａを用いる場合がある。
【００３３】
図１１，１４に示されるように、各固定部５０は、ベース部５１と、ナット５２と、を有している。
【００３４】
ベース部５１は、上側収容部材４２に一体に形成されている。ベース部５１は、筐体１１の外方であって互いに交差する方向を向いた三つの面（上面５１ａ、端面５１ｂ、側面５１ｃ）を有している。
【００３５】
上面５１ａは、ＸＹ平面に沿って延びている。上面５１ａは、筐体１１の上下方向、詳細には上下方向の一方である上方を向いている。上面５１ａは、第一の面の一例であり、筐体１１の上下方向は、第一の方向の一例である。
【００３６】
端面５１ｂは、ＹＺ平面に沿って延びている。端面５１ｂは、筐体１１の長手方向を向いている。詳細には、固定部５０Ａ，５０Ｂの端面５１ｂは、筐体１１の長手方向の一方（Ｘ方向）を向き、固定部５０Ｃ，５０Ｄの端面５１ｂは、筐体１１の長手方向の他方（Ｘ方向の反対方向）を向いている。端面５１ｂは、第二の面の一例であり、筐体１１の長手方向は、第二の方向の一例である。
【００３７】
また、側面５１ｃは、ＸＺ平面に沿って延びている。側面５１ｃは、筐体１１の短手方向（第三の方向）を向いている。詳細には、固定部５０Ａ，５０Ｄの側面５１ｃは、筐体１１の短手方向の一方（Ｙ方向の反対方向）を向き、固定部５０Ｂ，５０Ｃの側面５１ｃは、筐体１１の短手方向の他方（Ｙ方向）を向いている。側面５１ｃは、第三の面の一例であり、筐体１１の短手方向は、第三の方向の一例である。なお、ベース部５１は、上側収容部材４２と別部品として構成され、上側収容部材４２に取り付けられてもよい。
【００３８】
また、図１１に示されるように、固定部５０Ａのベース部５１と固定部５０Ｄのベース部５１との間に、立壁部６１が設けられ、固定部５０Ｂのベース部５１と固定部５０Ｃのベース部５１との間に、縦壁部６２が設けられている。
【００３９】
また、図１１，１４に示されるように、ナット５２は、ベース部５１の三つの面（上面５１ａ，端面５１ｂ，側面５１ｃ）のそれぞれに対して設けられている。ナット５２は、ベース部５１に固定されている。各ナット５２は、結合具１０２（図１）と結合可能である。ナット５２には、結合具１０２の挿入が可能な開口部５２ａ（貫通孔、図１４参照）が設けられている。結合具１０２は、ボルト等の雄ネジ部材である。各ナット５２は、ベース部５１の内部に配置されているとともに、それぞれ上面５１ａ，端面５１ｂおよび側面５１ｃから露出している。上面５１ａに設けられたナット５２の軸方向は、筐体１１の上下方向に沿い、端面５１ｂに設けられたナット５２の軸方向は、筐体１１の長手方向に沿い、側面５１ｃに設けられたナット５２の軸方向は、筐体１１の短手方向に沿っている。すなわち、上面５１ａに設けられたナット５２に対する結合具１０２の挿脱方向は、筐体１１の上下方向に沿い、端面５１ｂに設けられたナット５２に対する結合具１０２の挿脱方向は、筐体１１の長手方向に沿い、側面５１ｃに設けられたナット５２に対する結合具１０２の挿脱方向は、筐体１１の短手方向に沿っている。ナット５２は、結合具１０２と機械的に結合可能な結合部の一例である。なお、結合部と結合具１０２は、上記に限られない。例えば、結合具１０２が、スナップフィットであり、結合部が、ベース部５１に設けられスナップフィットが引っ掛かる凹部等の引掛部であってもよい。
【００４０】
図６，１２に示すように、正極端子部材１４Ａおよび負極端子部材１４Ｂは、四つの角部６０ａＡ〜６０ａＤのうち第一の対角に位置された二つの角部６０ａＡ，６０ａＣの固定部５０Ａ，５０Ｃのそれぞれに設けられている。各正極端子部材１４Ａおよび負極端子部材１４Ｂは、互いに異なる電池セル１２の電極端子部２２と、電気的に接続されている。また、正極端子部材１４Ａおよび負極端子部材１４Ｂは、固定部５０の三つのナット５２のいずれかと結合される結合具１０２（図１参照）によって固定部５０に固定される導電部材１００（図１参照）と、電気的に接続されている。端子部材１４は、出力端子部材や端子台バスバーとも称される。
【００４１】
図１６，１７には、正極端子部材１４Ａが示され、図１８，１９には、負極端子部材１４Ｂが示されている。図１２，１６〜１９から分かるように、正極端子部材１４Ａと負極端子部材１４Ｂは、形状は互いに同様であり、筐体１１への取り付け姿勢（向き）が互いに異なる。
【００４２】
図１６〜１９に示されるように、端子部材１４は、壁部１４ａ〜１４ｄと、接続部１４ｅと、接続片１４ｆと、を有している。端子部材１４は、例えばアルミニウム等の導電性材料によって構成されている。端子部材１４は、バスバーや接続部材、導電部材とも称される。
【００４３】
壁部１４ａは、ＸＹ平面に沿った略平坦な板状に構成されている。壁部１４ｂは、ＹＺ平面に沿った略平坦な板状に構成されている。壁部１４ｂは、筐体１１の長手方向での壁部１４ａの端部から下方に延びている。壁部１４ｃは、ＸＺ平面に沿った略平坦な板状に構成されている。壁部１４ｃは、筐体１１の短手方向での壁部１４ａの端部から下方に延びている。三つの壁部１４ａ〜１４ｃは、ベース部５１の三つの面（上面５１ａ，端面５１ｂ，側面５１ｃ）のそれぞれに重ねられている（図１２，１５参照）。具体的には、壁部１４ａが、ベース部５１の端面５１ａに重ねられ、壁部１４ｂが、ベース部５１の端面５１ｂに重ねられ、壁部１４ｃが、ベース部５１の側面５１ｃに重ねられている。そして、これらの三つの壁部１４ａ〜１４ｃのうちいずれかが、導電部材１００と電気的に接続される。本実施形態では、正極端子部材１４Ａでは、壁部１４ａが導電部材１００と電気的に接続され、負極端子部材１４Ｂでは、壁部１４ｂが導電部材１００と電気的に接続される。また、各壁部１４ａ〜１４ｃには、貫通孔１４ｇが設けられている。貫通孔１４ｇは、各壁部１４ａ〜１４ｃの厚さ方向に各壁部１４ａ，１４ｂ，１４ｃを貫通している。貫通孔１４ｇは、ナット５２の開口部５２ａと通じており、結合具１０２の挿入が可能である。壁部１４ａ〜１４ｃは、端子部とも称される。
【００４４】
壁部１４ｄは、ＸＹ平面に沿った略平坦な板状に構成されている。壁部１４ｄは、接続部１４ｅを介して壁部１４ａと接続されている。壁部１４ｄには、貫通孔１４ｈが設けられている。貫通孔１４ｈは、壁部１４ｄの厚さ方向に壁部１４ｄを貫通している。壁部１４ｄは、電池セル１２の電極端子部２２と電気的に接続されている。具体的には、壁部１４ｄは、電極端子部２２に重ねられた状態で、貫通孔１４ｈの周囲の部分が電極端子部２２と溶接（結合）されている。なお、壁部１４ｄと電極端子部２２の接続は、ネジ等による機械的な結合によってなされてもよい。なお、本実施形態では、開口部４３ａが壁部１４ｂに対して設けられているが、これに限られない。例えば、開口部４３ａは、壁部１４ａ，１４ｃに対して設けられていてもよい。
【００４５】
接続片１４ｆは、壁部１４ｄの縁部から延出している。接続片１４ｆは、回路基板１７と接続されている。
【００４６】
上記構成では、固定部５０Ａ，５０Ｃのそれぞれの三つのナット５２のうちいずれか一つは、結合具１０２とにより正極端子部材１４Ａ，負極端子部材１４Ｂと導電部材１００とを電気的に接触させる。本実形態では、例えば、負極端子部材１４Ｂでは、カバー４３に設けられた開口部４３ａ（図２参照）から露出された壁部１４ｂに結合具１０２の端部（端子部）が重ねられる（図１参照）。そして、端面５１ｂと結合具１０２とにより壁部１４ｂと結合具１０２の端部とが挟まれた状態で、端面５１ｂに設けられたナット５２と結合具１０２とが結合される。これにより、負極端子部材１４Ｂと導電部材１００とが電気的に接触する。
【００４７】
また、負極端子部材１４Ｂは、カバー４３に設けられた筒状部材７０（図３参照）を介して導電部材１００と電気的に接続される。筒状部材７０は、固定部５０Ａ（正極端子部材１４Ａ）に対して設けられている。筒状部材７０は、天壁部１１ｆを貫通している。筒状部材７０は、例えばアルミニウム等の導電性材料によって構成されている。筒状部材７０の貫通孔７０ａは、正極端子部材１４Ａの壁部１４ａの貫通孔１４ｇおよび固定部５０Ａのナット５２の開口部５２ａと通じている（重なっている）。筒状部材７０の上端部は、カバー４３の上方に露出している。筒状部材７０の下端部は、正極端子部材１４Ａの壁部１４ａに接触している。すわなち、筒状部材７０は、正極端子部材１４Ａと電気的に接続されている。貫通孔７０ａには、結合具１０２の挿入が可能となっている。このような構成では、筒状部材７０の貫通孔７０ａに挿入された結合具１０２の頭部と、固定部５０Ａのベース部５１の上面５１ａとが、導電部材１００と、筒状部材７０と、正極端子部材１４Ａの壁部１４ａと、を挟んだ状態で、当該結合具１０２がナット５２と結合される。これにより、正極端子部材１４Ａの壁部１４ａと導電部材１００とが、筒状部材７０を介して電気的に接続される。
【００４８】
また、本実施形態では、図２０〜２２に示されるように、組電池１の収容体６０に、カバー４３に代えて別のカバー４３Ａを取り付けることができる。すなわち、カバー４３Ａを有した組電池１Ａを得ることができる。組電池１，１Ａでは、収容体６０に、複数種類のカバー４３，４３Ａを組み替えて取り付けることができる。
【００４９】
カバー４３Ａには、複数の筒状部材７０が設けられている。例えば、筒状部材７０は、固定部５０Ａ，５０Ｃ（正極端子部材１４Ａ、負極端子部材１４Ｂ）のそれぞれに対して設けられている。このカバー４３Ａにより、正極端子部材１４Ａおよび負極端子部材１４Ｂの壁部１４ａと導電部材１００とが、筒状部材７０を介して電気的に接続される。
【００５０】
以上、説明したように、本実施形態では、例えば、固定部５０は、筐体１１の外方であって互いに交差する方向を向いた三つの面、すなわち上面５１ａ（第一の面）、端面５１ｂ（第二の面）、および側面５１ｃ（第三の面）と、三つの面（上面５１ａ，端面５１ｂ，側面５１ｃ）のそれぞれに対して設けられ、それぞれが結合具１０２と機械的に結合可能な三つのナット５２と、有している。また、端子部材１４は、固定部５０の三つのナット５２のいずれかと結合される結合具１０２によって固定部５０に固定される導電部材１００と電気的に接続されている。よって、本実施形態によれば、例えば、端子部材１４に対する導電部材１００の取り付け位置の自由度が比較的大きい。よって、例えば、複数の組電池１を導電部材１００で接続する場合の組電池１の配置や姿勢の自由度が比較的大きい。また、複数の組電池１を導電部材１００で接続する場合、導電部材１００の長さを短くしやすい。よって、安価かつ容易に複数の組電池を接続することができる。
【００５１】
なお、導電部材１００と接続に使用されるナット５２は、上述したもの以外であってもよい。この場合、使用されるナット５２に対応して開口部４３ａや筒状部材７０が設けられたカバーを用いればよい。また、すべてのナット５２の開口部５２ａが露出されるように、開口部４３ａや筒状部材７０が設けられていてもよい。また、組電池１は、カバー４３が設けられていない状態で、設置されてもよい。
【００５２】
＜第２の実施形態＞
図２３に示される本実施形態の電池モジュール２００は、複数（一例として、二つ）の組電池１Ｂ，１Ｃと、組電池１Ｂ，１Ｃを電気的に接続した導電部材１００Ａと、を備えている。組電池１Ｂは、第一の組電池の一例であり、組電池１Ｃは、第二の組電池の一例である。
【００５３】
組電池１Ｂは、組電池１に対して、カバー４３Ｂが異なる。カバー４３Ｂは、カバー４３に対して、開口部４３ａ（図１参照）と筒状部材７０との位置が逆になっている。すなわち、開口部４３ａが、固定部５０Ａ（正極端子部材１４Ａ（図２３，２４では不図示））に対して設けられ、筒状部材７０が、固定部５０Ｃおよび負極端子部材１４Ｂ（図２３，２４では不図示）に対して設けられている。筒状部材７０は、カラーとも称される。
【００５４】
組電池１Ｃは、組電池１に対して、正極端子部材１４Ａおよび負極端子部材１４Ｂ（図２３，２４では不図示）の配置およびカバー４３Ｃが異なる。組電池１Ｃでは、正極端子部材１４Ａが固定部５０Ｂに配置され、負極端子部材１４Ｂが固定部５０Ｄに配置されている。なお、本実施形態の正極端子部材１４Ａおよび負極端子部材１４Ｂは、第１の実施形態の正極端子部材１４Ａおよび負極端子部材１４ＢとＸＺ平面に関して面対称の形状に構成される。
【００５５】
カバー４３Ｃは、カバー４３に対して、開口部４３ａ（図１参照）と筒状部材７０との位置が異なる。カバー４３Ｃでは、開口部４３ａが、固定部５０Ｄ（負極端子部材１４Ｂ）に対して設けられ、筒状部材７０が、固定部５０Ｂ（正極端子部材１４Ａ）に対して設けられている。
【００５６】
図２３に示されるように、組電池１Ｂと組電池１Ｃとは、筐体１１の上下方向（第一の方向）と交差する方向（一例として、Ｙ方向、筐体の短手方向）に並べられている。すなわち、組電池１Ｂと組電池１Ｃとは、筐体１１の側壁部１１ｄ同士が対向する姿勢で並べられている。また、組電池１Ｂと組電池１Ｃとは、組電池１Ｂの第一の対角の方向ＤＢと、組電池１Ｃの第一の対角の方向ＤＣとが互いに異なるように配置されている。第一の対角の方向ＤＢ，ＤＣは、正極端子部材１４Ａと負極端子部材１４Ｂとの対角方向、すなわち、正極端子部材１４Ａが配置される固定部５０と負極端子部材１４Ｂが配置される固定部５０との対角方向である。
【００５７】
導電部材１００Ａは、平板の帯状に構成されている。導電部材１００Ａは、組電池１Ｂの６０ａＡに設けられた正極端子部材１４Ａと、組電池１Ｃの角部６０ａＤに設けられた負極端子部材１４Ｂと、を電気的に接続している。すなわち、導電部材１００Ａは、組電池１Ｂ，１Ｃの互いに隣り合う二つの角部６０ａに設けられた二つの端子部材１４を電気的に接続している。
【００５８】
＜第３の実施形態＞
図２５〜２７に示される本実施形態の電池モジュール２００Ａは、複数（一例として、二つ）の組電池１，１Ｄと、組電池１，１Ｄを電気的に接続した導電部材１００Ｂと、を備えている。組電池１は、第一の組電池の一例であり、組電池１Ｄは、第二の組電池の一例である。
【００５９】
図２７に示されるように、組電池１Ｄは、組電池１に対して、カバー４３Ｄが異なる。カバー４３Ｄには、固定部５０Ｃ（負極端子部材１４Ｂ）に対して設けられた開口部４３ａ（図１参照）の他に、固定部５０Ａ（正極端子部材１４Ａ）に対しても開口部４３ａが設けられている。なお、カバー４３Ｄには、筒状部材７０は設けられていない。また、カバー４３Ｄでは、端壁部１１ｂ，１１ｃおよび側壁部１１ｄ，１１ｅが天壁部１１ｆよりも上方に延びており、天壁部１１ｆの上方に凹部４３ｂが形成されている。この凹部４３ｂに、組電池１の下端部が嵌められる。
【００６０】
図２５，２６に示されるように、組電池１と組電池１Ｄとは、筐体１１の上下方向（第一の方向）に並べられている。具体的には、組電池１Ｄの上側に組電池１が重ねられている。すなわち、組電池１と組電池１Ｄとは、組電池１の底壁部１１ａと組電池１Ｄの天壁部１１ｆとが対向する姿勢で並べられている。また、組電池１と組電池１Ｄとは、組電池１の第一の対角の方向Ｄと、組電池１Ｄの第一の対角の方向ＤＤとが互いに同じになるように配置されている。第一の対角の方向Ｄ，ＤＤは、正極端子部材１４Ａと負極端子部材１４Ｂとの対角方向、すなわち、正極端子部材１４Ａが配置される固定部５０と負極端子部材１４Ｂが配置される固定部５０との対角方向である。
【００６１】
本実施形態の導電部材１００Ｂは、平板の帯状に構成されている。導電部材１００Ｂは、組電池１の角部６０ａＣに設けられた負極端子部材１４Ｂ（図２５，２６では不図示）と、組電池１Ｄの角部６０ａＡに設けられた正極端子部材１４Ａ（図２５，２６では不図示）と、を電気的に接続している。すなわち、導電部材１００Ｂは、筐体１１の上下方向（第一の方向）で見た場合に互いに重なる組電池１，１Ｄの二つの角部６０ａに設けられた二つの端子部材１４を電気的に接続している。
【００６２】
＜第４の実施形態＞
図２８〜３０に示される本実施形態の組電池１Ｅは、第１の実施形態の組電池１に対して、カバー４３Ｅが異なる。図３０に示されるように、カバー４３の側壁部１１ｅには、二つの開口部４３ａが設けられている。開口部４３ａは、固定部５０Ａ，５０Ｄのナット５２の開口部５２ａを露出させている。
【００６３】
また、図２８，２９に示されるように、筐体１１は、結合具１０２Ａによって支持部材３００に固定されている。結合具１０２Ａは、ボルト等の雄ネジ部材である。結合具１０２Ａは、固定部５０Ｂ，５０Ｃの側面５１ｃに設けられたナット５２との間に支持部材３００を挟んだ状態で、当該ナット５２に取り付けられている。支持部材３００は、例えば、車両の車体に設けられたブラケットや壁部等である。
【００６４】
以上の構成の本実施形態では、固定部５０Ｃの三つのナット５２のうちいずれか一つ（一例として、端面５１ｂに設けられたナット５２）は、結合具１０２とにより端子部材１４（正極端子部材１４Ａ）と導電部材１００とを電気的に接触させている。そして、固定部５０Ｃの三つのナット５２のうち上記一つ以外のいずれか（一例として、側面５１ｃに設けられたナット５２）が支持部材３００を間に挟んだ状態で結合具１０２Ａに取り付けられた状態で、筐体１１が支持部材３００に支持（固定）されている。すなわち、固定部５０のナット５２を筐体１１の固定に用いることができる。結合具１０２は、第一の結合具の一例であり、結合具１０２Ａは、第二の結合具の一例である。
【００６５】
なお、支持部材３００との結合に使用されるナット５２は、上述したもの以外であってもよい。この場合、使用されるナット５２に対応して開口部４３ａや筒状部材７０が設けられたカバーを用いればよい。また、すべてのナット５２の開口部５２ａが露出されるように、開口部４３ａや筒状部材７０が設けられていてもよい。また、組電池１Ｅは、カバー４３Ｅが設けられていない状態で、設置されてもよい。
【００６６】
なお、上記各実施形態のいずれか２つ以上の要素を技術的に可能な範囲で組み合わせてもよい。
【００６７】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００６８】
１，１Ａ〜１Ｅ…組電池、１１…筐体、１１ａ…底壁部（第一の壁部）、１１ｂ，１１ｃ…端壁部（第二の壁部）、１１ｄ，１１ｅ…側壁部（第三の壁部）、１１ｆ…天壁部（第一の壁部）、１２…電池セル、１４…端子部材、１４Ａ…正極端子部材、１４Ｂ…負極端子部材、１４ａ〜１４ｃ…壁部、１４ｇ…貫通孔、４３，４３Ａ〜４３Ｅ…カバー、５０，５０Ａ〜５０Ｄ…固定部、５１ａ…上面（第一の面、面）、５１ｂ…端面（第二の面、面）、５１ｃ…側面（第三の面、面）、５２…ナット（結合部）、５２ａ…開口部、６０…収容体（筐体部材）、６０ａ，６０ａＡ〜６０ａＤ…角部、７０…筒状部材、１００，１００Ａ，１００Ｂ…導電部材、１０２…結合具（第一の結合具）、１０２Ａ…結合具（第二の結合具）、２００，２００Ａ…電池モジュール、３００…支持部材。
【図１】
2018092872.tif 000003
【図２】
2018092872.tif 000004
【図３】
2018092872.tif 000005
【図４】
2018092872.tif 000006
【図５】
2018092872.tif 000007
【図６】
2018092872.tif 000008
【図７】
2018092872.tif 000009
【図８】
2018092872.tif 000010
【図９】
2018092872.tif 000011
【図１０】
2018092872.tif 000012
【図１１】
2018092872.tif 000013
【図１２】
2018092872.tif 000014
【図１３】
2018092872.tif 000015
【図１４】
2018092872.tif 000016
【図１５】
2018092872.tif 000017
【図１６】
2018092872.tif 000018
【図１７】
2018092872.tif 000019
【図１８】
2018092872.tif 000020
【図１９】
2018092872.tif 000021
【図２０】
2018092872.tif 000022
【図２１】
2018092872.tif 000023
【図２２】
2018092872.tif 000024
【図２３】
2018092872.tif 000025
【図２４】
2018092872.tif 000026
【図２５】
2018092872.tif 000027
【図２６】
2018092872.tif 000028
【図２７】
2018092872.tif 000029
【図２８】
2018092872.tif 000030
【図２９】
2018092872.tif 000031
【図３０】
2018092872.tif 000032